(57)【特許請求の範囲】
【請求項１】
画像情報をインターネットを経由して送信する第１の通信経路およびインターネットを経由しない第２の通信経路のいずれかの通信経路を選択して送信する通信端末装置において、
前記画像情報を前記第１の通信経路を介して送信する場合の送信元を特定する第１の送信元情報と、前記画像情報を前記第２の通信経路を介して送信する場合の送信元を特定する第２の送信元情報とが記憶された送信元情報記憶手段と、
前記第１および第２の通信経路のいずれの通信経路が選択されたかを判定する判定手段と、
この判定手段によって前記第１の通信経路が選択されたと判定された場合は、前記送信元情報記憶手段から前記第１の送信元情報を読出すとともに、その読出した第１の送信元情報を含むカバーページを前記画像情報と共に前記第１の通信経路を介して送信し、かつ、前記判定手段によって前記第２の通信経路が選択されたと判定された場合は、前記送信元情報記憶手段から前記第２の送信元情報を読出すとともに、その読出した第２の送信元情報を含むカバーページを前記画像情報と共に前記第２の通信経路を介して送信する送信手段と、
が備えられたことを特徴とする通信端末装置。
【請求項２】
前記送信元情報記憶手段に記憶されている所定の送信元情報を選択する送信元情報選択手段が備えられており、
前記判定手段は、
前記送信元情報選択手段によって選択された送信元情報が、前記第１の送信元情報である場合は、前記第１の通信経路が選択されたと判定し、かつ、前記送信元情報選択手段によって選択された送信元情報が、前記第２の送信元情報である場合は、前記第２の通信経路が選択されたと判定することを特徴とする請求項１に記載の通信端末装置。
【請求項３】
前記画像情報の送信先を特定する送信先情報を設定する送信先情報設定手段が備えられており、
前記判定手段は、
前記送信先情報設定手段によって設定された送信先情報が、前記第１の通信経路のための情報か、前記第２の通信経路のための情報かを識別することにより選択された通信経路を判定することを特徴とする請求項１に記載の通信端末装置。
【請求項４】
画像情報をインターネットを経由して送信する第１の通信経路およびインターネットを経由しない第２の通信経路のいずれかの通信経路を選択して送信する通信端末装置を制御するコンピュータプログラムが格納された記憶媒体において、
前記画像情報を前記第１の通信経路を介して送信する場合の送信元を特定する第１の送信元情報と、前記画像情報を前記第２の通信経路を介して送信する場合の送信元を特定する第２の送信元情報とを送信元情報記憶手段に記憶する記憶プログラムと、
前記第１および第２の通信経路のいずれの通信経路が選択されたかを判定するとともに、その判定結果が、前記第１の通信経路が選択されたという判定結果である場合は、前記送信元情報記憶手段から前記第１の送信元情報を読出すとともに、その読出した第１の送信元情報を含むカバーページを前記画像情報と共に前記第１の通信経路を介して送信し、かつ、前記判定結果が、前記第２の通信経路が選択されたという判定結果である場合は、前記送信元情報記憶手段から前記第２の送信元情報を読出すとともに、その読出した第２の送信元情報を含むカバーページを前記画像情報と共に前記第２の通信経路を介して送信する送信制御プログラムと、を含むコンピュータプログラムが格納されていることを特徴とする記憶媒体。
【発明の詳細な説明】
【０００１】
【発明の属する技術分野】
本発明は、ファクシミリ装置に代表される通信端末装置およびその通信端末装置を制御するコンピュータプログラムが格納された記憶媒体であって、画像データをインターネットを経由して送信する機能と、インターネットを経由しないで送信する機能とを有する通信端末装置および記憶媒体として好適なものである。
【０００２】
【従来の技術】
従来、上記通信端末装置として、たとえば、イメージスキャナで原稿を読取り、その読取った画像データをインターネットを経由して送信する機能と、インターネットを経由しないで公衆交換通信網を介して送信する機能とを備えたファクシミリ装置が知られている。
このファクシミリ装置には、送信する画像データの先頭にカバーページを付けて送信する機能が備えられている。そのカバーページには、予め、送信先名、送信元名、送信元のファクシミリ番号、または、メールアドレスおよびコメントが登録される。
【０００３】
【発明が解決しようとする課題】
しかし、上記従来のファクシミリ装置は、通信経路を切替えるごとに、送信元のファクシミリ番号、または、メールアドレスを登録する部分を手入力で書き換えなければならない。たとえば、画像データをインターネットを経由して送信する場合に、カバーページの送信元の欄に送信元名および送信元のファクシミリ番号が登録されている場合は、その送信元のファクシミリ番号を送信元のメールアドレスに書換えなければならない。
また、逆に、画像データをインターネットを経由しない公衆交換通信網を介して送信する場合に、カバーページの送信元の欄に送信元名および送信元のメールアドレスが登録されている場合は、その送信元のメールアドレスを送信元のファクシミリ番号に書換えなければならない。
つまり、上記従来のファクシミリ装置は、画像データを送信する通信経路が、インターネットを経由する通信経路であるかインターネットを経由しない通信経路であるかによって、カバーページの送信元データを書換える手間がいるという問題がある。
【０００４】
そこで、本発明は、画像データを送信する通信経路が、インターネットを経由する通信経路であるかインターネットを経由しない通信経路であるかによって、カバーページの記載情報を自動的に書換えることが可能な通信端末装置および記憶媒体を実現することを目的とする。
【０００５】
【課題を解決するための手段】
本発明は、上記目的を達成するため、
請求項１に記載の発明では、画像情報をインターネットを経由して送信する第１の通信経路およびインターネットを経由しない第２の通信経路のいずれかの通信経路を選択して送信する通信端末装置において、
前記画像情報を前記第１の通信経路を介して送信する場合の送信元を特定する第１の送信元情報と、前記画像情報を前記第２の通信経路を介して送信する場合の送信元を特定する第２の送信元情報とが記憶された送信元情報記憶手段と、
前記第１および第２の通信経路のいずれの通信経路が選択されたかを判定する判定手段と、
この判定手段によって前記第１の通信経路が選択されたと判定された場合は、前記送信元情報記憶手段から前記第１の送信元情報を読出すとともに、その読出した第１の送信元情報を含むカバーページを前記画像情報と共に前記第１の通信経路を介して送信し、かつ、前記判定手段によって前記第２の通信経路が選択されたと判定された場合は、前記送信元情報記憶手段から前記第２の送信元情報を読出すとともに、その読出した第２の送信元情報を含むカバーページを前記画像情報と共に前記第２の通信経路を介して送信する送信手段と、
が備えられたという技術的手段を採用する。
【０００６】
請求項２に記載の発明では、請求項１に記載の通信端末装置において、前記送信元情報記憶手段に記憶されている所定の送信元情報を選択する送信元情報選択手段が備えられており、
前記判定手段は、
前記送信元情報選択手段によって選択された送信元情報が、前記第１の送信元情報である場合は、前記第１の通信経路が選択されたと判定し、かつ、前記送信元情報選択手段によって選択された送信元情報が、前記第２の送信元情報である場合は、前記第２の通信経路が選択されたと判定するという技術的手段を採用する。
【０００７】
請求項３に記載の発明では、請求項１に記載の通信端末装置において、前記画像情報の送信先を特定する送信先情報を設定する送信先情報設定手段が備えられており、
前記判定手段は、
前記送信先情報設定手段によって設定された送信先情報が、前記第１の通信経路のための情報か、前記第２の通信経路のための情報かを識別することにより選択された通信経路を判定するという技術的手段を採用する。
【０００８】
請求項４に記載の発明では、画像情報をインターネットを経由して送信する第１の通信経路およびインターネットを経由しない第２の通信経路のいずれかの通信経路を選択して送信する通信端末装置を制御するコンピュータプログラムが格納された記憶媒体において、
前記画像情報を前記第１の通信経路を介して送信する場合の送信元を特定する第１の送信元情報と、前記画像情報を前記第２の通信経路を介して送信する場合の送信元を特定する第２の送信元情報とを送信元情報記憶手段に記憶する記憶プログラムと、
前記第１および第２の通信経路のいずれの通信経路が選択されたかを判定するとともに、その判定結果が、前記第１の通信経路が選択されたという判定結果である場合は、前記送信元情報記憶手段から前記第１の送信元情報を読出すとともに、その読出した第１の送信元情報を含むカバーページを前記画像情報と共に前記第１の通信経路を介して送信し、かつ、前記判定結果が、前記第２の通信経路が選択されたという判定結果である場合は、前記送信元情報記憶手段から前記第２の送信元情報を読出すとともに、その読出した第２の送信元情報を含むカバーページを前記画像情報と共に前記第２の通信経路を介して送信する送信制御プログラムと、を含むコンピュータプログラムが格納されているという技術的手段を採用する。
【０００９】
【作用】
請求項１ないし請求項４に記載の発明では、上記送信元情報記憶手段は、画像情報をインターネットを経由して送信する第１の通信経路を介して送信する場合の送信元を特定する第１の送信元情報と、画像情報をインターネットを経由しない第２の通信経路を介して送信する場合の送信元を特定する第２の送信元情報とを記憶し、上記判定手段は、第１および第２の通信経路のいずれの通信経路が選択されたかを判定する。そして、上記送信手段は、上記判定手段によって第１の通信経路が選択されたと判定された場合は、送信元情報記憶手段から第１の送信元情報を読出すとともに、その読出した第１の送信元情報を含むカバーページを画像情報と共に第１の通信経路を介して送信し、かつ、上記判定手段によって第２の通信経路が選択されたと判定された場合は、送信元情報記憶手段から第２の送信元情報を読出すとともに、その読出した第２の送信元情報を含むカバーページを画像情報と共に第２の通信経路を介して送信する。
【００１０】
つまり、画像情報を送信するために選択した通信経路が、インターネットを経由する第１の通信経路である場合は、画像情報を第１の通信経路で送信する場合に用いる第１の送信元情報が自動的に選択され、これを含むカバーページを画像情報と共に送信し、インターネットを経由しない第２の通信経路である場合は、画像情報を第２の通信経路で送信する場合に用いる第２の送信元情報が自動的に選択され、これを含むカバーページを画像情報と共に送信する。
したがって、従来のように、画像データを送信する通信経路が、インターネットを経由する通信経路であるかインターネットを経由しない通信経路であるかによって、カバーページの送信元データを書換える手間を省くことができる。
【００１１】
特に、請求項２に記載の発明では、上記送信元情報選択手段は、上記送信元情報記憶手段に記憶されている所定の送信元情報を選択し、上記判定手段は、上記送信元情報選択手段によって選択された送信元情報が、第１の送信元情報である場合は、第１の通信経路が選択されたと判定し、かつ、送信元情報選択手段によって選択された送信元情報が、第２の送信元情報である場合は、第２の通信経路が選択されたと判定する。
つまり、上記判定手段は、選択された送信元情報の種類によって通信経路を判定する。そして、上記送信手段は、上記判定手段によって判定された通信経路に対応する送信元情報を含むカバーページを画像情報と共に送信する。
したがって、送信元情報を選択するだけで、その選択した送信元情報が含まれるカバーページを画像情報と共に送信することができるため、従来のように、通信経路によってカバーページの送信元データを書換える手間を省くことができる。
【００１２】
また、請求項３に記載の発明では、上記送信先情報設定手段は、画像情報の送信先を特定する送信先情報を設定し、上記判定手段は、上記送信先情報設定手段によって設定された送信先情報が、第１の通信経路のための情報か、第２の通信経路のための情報かを識別することにより選択された通信経路を判定する。
つまり、上記判定手段は、送信先情報設定手段によって設定された送信先情報の種類によって通信経路を判定する。そして、上記送信手段は、上記判定手段によって判定された通信経路に対応する送信元情報を含むカバーページを画像情報と共に送信する。
したがって、送信先情報を設定するだけで、その設定した送信先情報に対応する通信経路が判定され、その判定された通信経路に対応する送信元情報が含まれるカバーページを画像情報と共に送信することができるため、従来のように、通信経路によってカバーページの送信元データを書換える手間を省くことができる。
【００１３】
さらに、本発明の目的は、請求項４に記載の記憶媒体によって達成することができる。
つまり、請求項４に記載の記憶媒体に格納されている記憶プログラムを通信端末装置に備えられたＣＰＵ、あるいは、通信端末装置に接続されたコンピュータに実行させることにより、画像情報を第１の通信経路を介して送信する場合の送信元を特定する第１の送信元情報と、画像情報を第２の通信経路を介して送信する場合の送信元を特定する第２の送信元情報とを送信元情報記憶手段に記憶することができ、さらに、上記記憶媒体に格納されている送信制御プログラムを上記ＣＰＵ、あるいは、コンピュータに実行させることにより、第１および第２の通信経路のいずれの通信経路が選択されたかを判定するとともに、その判定結果が、第１の通信経路が選択されたという判定結果である場合は、送信元情報記憶手段から第１の送信元情報を読出すとともに、その読出した第１の送信元情報を含むカバーページを画像情報と共に第１の通信経路を介して送信し、かつ、判定結果が、第２の通信経路が選択されたという判定結果である場合は、送信元情報記憶手段から第２の送信元情報を読出すとともに、その読出した第２の送信元情報を含むカバーページを画像情報と共に第２の通信経路を介して送信することができるからである。
この記憶媒体は、たとえば、後述する発明の実施の形態に記載するように、本発明の通信端末装置たるファクシミリ装置に備えられたＲＯＭとして用いられ、あるいは、ファクシミリ装置に接続されたＰＣにコンピュータプログラムをインストールするためのＣＤ−ＲＯＭやＦＤ（Ｆｌｅｘｉｂｌｅ  Ｄｉｓｋ）として用いられる。
【００１４】
【発明の実施の形態】
以下、本発明の通信端末装置および記憶媒体の一実施形態について図を参照して説明する。
なお、以下の実施形態では、本発明の通信端末装置として、ファクシミリ機能、プリンタ機能、コピー機能、イメージスキャナ機能、ＰＣファクス機能および留守録メモリ機能などの複数の機能を有する、いわゆるマルチファンクションタイプのファクシミリ装置を代表に説明する。
【００１５】
最初に、本実施形態のファクシミリ装置が接続されているネットワークについて、それをブロックで示す図１を参照して説明する。
なお、以下の説明では、本実施形態のファクシミリ装置１０を送信側とし、ファクシミリ装置９を受信側とする。
本実施形態のファクシミリ装置１０は、電話回線１によって電話交換機２に接続されており、電話交換機２は、ファクシミリ装置１０へ電子メールを配信するＰＯＰＳ（Ｐｏｓｔ  Ｏｆｆｉｃｅ  Ｐｒｏｔｏｃｏｌ  Ｓｅｒｖｅｒ）６０に接続されている。ＰＯＰＳ６０は、送信側が契約しているＳＭＴＰサーバ（Ｓｉｍｐｌｅ  Ｍａｉｌ  Ｔｒａｎｓｆｅｒ  Ｐｒｏｔｏｃｏｌ  Ｓｅｒｖｅｒ）４に接続されており、ＳＭＴＰサーバ４は、インターネットＡを介して、受信側が契約しているＳＭＴＰサーバ５に接続されている。
【００１６】
ＳＭＴＰサーバ５は、ファクシミリ装置９へ電子メールを配信するＰＯＰＳ６１に接続されており、ＰＯＰＳ６１は、電話交換機７に接続されており、電話交換機７は、電話回線８によって受信側のファクシミリ装置９に接続されている。また、電話交換機２および電話交換機７は、公衆通信交換網Ｂによって接続されている。
なお、本実施形態のファクシミリ装置１０およびファクシミリ装置９は、装置に内蔵されたイメージスキャナ（図３に符号３８で示す）によって読取られた画像データをインターネットＡ、または、インターネットＡを経由しない公衆通信交換網Ｂを介して送受信する機能を有する。
ところで、インターネットＡを経由する通信経路が、本発明の第１の通信経路に対応し、インターネットＡを経由しない公衆交換通信網Ｂを経由する通信経路が、本発明の第２の通信経路に対応する。
【００１７】
次に、本実施形態のファクシミリ装置１０の構成について、その外観を示す図２を参照して説明する。
ファクシミリ装置１０には、箱形状のハウジング２０が備えられており、このハウジング２０の上面前部には操作パネル１１が設けられている。操作パネル１１には、「０」〜「９」のテンキー１２が設けられている。テンキー１２は、送信先の送信先名、ファクシミリ番号およびメールアドレス（以下、送信先データと称する）の入力に用いる。また、テンキー１２は、本発明の送信元情報たる送信元の氏名、名称、ファクシミリ番号およびメールアドレス（以下、送信元データと称する）の入力にも用いる。
【００１８】
さらに、操作パネル１１には、原稿の読取開始などを指示するためのスタートボタン１４、画像データの送信中止などを指示するためのストップボタン１３、送信先データをワンタッチで読出すための短縮ダイヤルボタン１５、インターネットＡを経由する送信（以下、インターネットＦＡＸ送信と称する）か、インターネットＡを経由しない送信（以下、通常ＦＡＸ送信と称する）かを切替えるための通信切替ボタン１６、テンキー１２を用いて入力された送信先データ、または、送信元データの登録を決定するための登録ボタン１７、カバーページの登録内容を変更するための変更ボタン２６などが設けられている。
なお、テンキー１２は、送信先および送信元の氏名、名称、アドレスを設定するために、数字以外に文字や記号も入力できるようになっている。
【００１９】
操作パネル１１の後部には、送信先データ、送信元データ、カバーページの登録内容、ファクシミリ装置１０の送受信状態、送受信結果およびファンクションなどを表示する液晶表示部（ＬＣＤ）１８が設けられており、この液晶表示部１８の後部には、送信原稿やコピー原稿をセットする原稿セット部１９が設けられている。この原稿セット部１９にセットされた原稿は、ハウジング２０の内部に設けられた紙送り機構（図示省略）によってハウジング２０の内部へ搬送され、この搬送された原稿の画像情報は、イメージスキャナ（図３に符号３８で示す）によって読み取られる。この読取られた原稿は、操作パネル１１の下方に設けられた原稿排出口２１を介してトレイ２２上に積層可能に排出される。
【００２０】
原稿セット部１９の後部には、受信した画像データやＰＣ（ＰｅｒｓｏｎａｌＣｏｍｐｕｔｅｒ、図３に符号４８で示す）から送信された印刷データを記録するための記録用紙をセットする記録用紙セット部２３が設けられている。この記録用紙セット部２３には、複数枚の記録用紙を積層して収納可能な記録用紙カセット（図示省略）が着脱自在に取り付けられる。この記録用紙カセットに収納された記録用紙は、上記紙送り機構によってハウジング２０の内部へ搬送され、この搬送された記録用紙には、インクジェットプリンタ（図３に符号５０で示す）によって記録が行われる。この記録された記録用紙は、トレイ２２の下方に設けられた記録用紙排出部２４から排出される。
【００２１】
また、ハウジング２０の前面右下にはビデオ信号入力端子２５が設けられており、このビデオ信号入力端子２５に接続されたビデオカメラなどから出力されるビデオ信号は、ファクシミリ装置１０の内部へ取り込まれ、インクジェットプリンタ５０によって印刷される。
なお、図示しないが、ハウジング２０の背面には、電話回線１（図１、図３）を接続するための通信端子と、ＰＣ４８（図３）と接続するための接続ケーブル４７を接続する端子とが設けられており、左側面には、送信先と通話などを行うための受話器が設けられている。
【００２２】
次に、ファクシミリ装置１０の電気的構成について、それをブロックで示す図３を参照して説明する。
ファクシミリ装置１０には、ファクシミリユニットＦＵおよびプリンタユニットＰＵが備えられており、両ユニットは、インターフェース４１によって相互に接続されている。
ファクシミリユニットＦＵには、送信先データ、送信元データおよびカバーページの登録内容の変更、イメージスキャナ３８の動作制御、画像データの送受信制御、電子メールの送受信制御、ＰＣ４８間での各種データの入出力制御などを実行するＣＰＵ３０が備えられている。
【００２３】
ＣＰＵ３０は、ファクシミリ制御回路４０に接続されており、ファクシミリ制御回路４０には、ＲＯＭ３１、ＲＡＭ３２およびＥＥＰＲＯＭ３３が接続されている。
ここで、ＥＥＰＲＯＭ３３の格納内容について、それを示す図４（Ａ）ないし図４（Ｃ）を参照して説明する。
ＥＥＰＲＯＭ３３には、図４（Ａ）に示すファクシミリ番号テーブル３３ａが格納されている。ファクシミリ番号テーブル３３ａは、Ｎｏ．１〜Ｎｏ．１００までの１００個の送信先登録番号のそれぞれに対して、送信先名と、送信先のファクシミリ番号と、送信先のメールアドレスとが記憶可能に構成されている。また、ファクシミリ番号テーブル３３ａには、送信元名、送信元のファクシミリ番号および送信元のメールアドレスが登録されている。
【００２４】
また、ＥＥＰＲＯＭ３３には、図４（Ｂ）および図４（Ｃ）に示すカバーページ７０のデータが格納されている。図４（Ｂ）は、画像データを通常ＦＡＸ送信する場合のカバーページの登録内容を示す説明図であり、図４（Ｃ）は、画像データをインターネットＦＡＸ送信する場合のカバーページの登録内容を示す説明図である。
カバーページ７０は、送信先名を登録する送信先名登録エリア７１と、送信元名を登録する送信元名登録エリア７２と、送信元のファクシミリ番号、または、メールアドレスを登録する送信元識別データ登録エリア７３と、コメントを登録するコメント登録エリア７４とから構成されている。
【００２５】
次に、ＲＯＭ３１には、ＣＰＵ３０が、送信元データをファクシミリ番号テーブル３３ａに記憶する処理を実行するための記憶プログラム３１ｂと、ＣＰＵ３０が、画像データを通常ＦＡＸする処理、あるいは、電子メール、または、画像データの添付された電子メールをインターネットＦＡＸする処理を実行するための送信制御プログラム３１ｃとが格納されている。また、ＲＯＭ３１には、画像データ、電子メール、または、画像データの添付された電子メールを受信するための受信制御、イメージスキャナ３８の動作制御などの各種制御をＣＰＵ３０が実行するための制御プログラム３１ａが格納されている。
【００２６】
さらに、ＲＡＭ３２は、ＲＯＭ３１から読出された各種プログラム、イメージスキャナ３８により読取られた画像データ、受信した電子メールなどを一時的に記憶する。
ところで、短縮ダイヤルボタン１５は、ファクシミリ番号テーブル３３ａの登録番号Ｎｏ．１〜Ｎｏ．１２と対応しており、それ以外の登録番号は、テンキー１２によって直接登録番号を入力することで各テーブルから読出可能になっている。
ここで、図３の説明に戻り、ファクシミリ制御回路４０には、ＮＣＵ（Ｎｅｔｗｏｒｋ  Ｃｏｎｔｒｏｌ  Ｕｎｉｔ）３４と、モデム３５と、イメージスキャナ３８によってスキャンされた画像データを圧縮されたデータに変換するために符号化する符号器３６と、受信された画像データの符号化されたデータを復号化する復号器３７と、原稿がセットされたことを検出する原稿センサ３９とが接続されている。
【００２７】
プリンタユニットＰＵには、インクジェットプリンタ５０を制御するプリンタ制御回路４２が備えられており、このプリンタ制御回路４２には、インクジェットプリンタ５０を制御するプログラムを実行するＣＰＵ４３が接続されている。また、プリンタ制御回路４２には、ＣＰＵ４３により実行されるプログラムなどが記憶されたＲＯＭ４４と、ＣＰＵ４３の実行時に使用されるワークメモリや印刷用データを記憶するプリントメモリなどを有するＲＡＭ４５と、ＰＣ４８が接続されるＰＣ用インターフェース４６と、印刷用の文字などのベクトルフォントが記憶されたキャラクタジェネレータ（ＣＧ）４９とが接続されている。
ところで、ＥＥＰＲＯＭ３３において送信元データが記憶されている記憶領域が、本発明の送信元情報記憶手段として機能する。
【００２８】
次に、ＣＰＵ３０が実行する主な処理内容について、それを示す図５のフローチャートを参照して説明する。
ＣＰＵ３０は、テンキー１２を操作して入力される送信元データ、または、送信先データをＥＥＰＲＯＭ３３に格納されているファクシミリ番号テーブル３３ａに登録する送信元・送信先データ登録処理（ステップ１００）と、画像データの通常ＦＡＸ送信およびインターネットＦＡＸ送信を制御する送信制御処理（ステップ２００）と、画像データの受信を制御する受信制御処理（ステップ３００）を実行する。
【００２９】
次に、ＣＰＵ３０がステップ１００において実行する送信元・送信先データ登録処理について、それを示す図６のフローチャートを参照して説明する。
ＣＰＵ３０は、ファクシミリ装置１０を用いて画像データを送信する者（以下、送信者と称する）が、変更ボタン２６（図２）を押して送信元データ、または、送信先データを登録するファンクションになっていることを検出すると（ステップ１０２：Ｙｅｓ）、送信元データを登録する状態および送信先データを登録する状態のどちらの登録状態かを判定する（ステップ１０４）。
【００３０】
そして、ＣＰＵ３０は、送信先データを登録する状態であると判定した場合は（ステップ１０４：送信先）、送信者のテンキー１２の操作による送信先データの入力を検出すると（ステップ１０６：Ｙｅｓ）、その入力されたデータをＲＡＭ３２に一時的に格納し（ステップ１０８）、その格納したデータを液晶表示部１８に表示する（ステップ１１０）。送信者は、その表示を見てデータが正しく入力されたか否かを確認できる。ＣＰＵ３０は、次のステップ１１２において、登録ボタン１７が押されたことを検出するまで、上記ステップ１０２〜ステップ１１０を繰り返し実行する。
【００３１】
そして、送信先データの入力が終了し、送信者が、登録ボタン１７を押すと、それをＣＰＵ３０が検出し（ステップ１１２：Ｙｅｓ）、ＣＰＵ３０は、ＲＡＭ３２に一時的に格納されている送信先データをＥＥＰＲＯＭ３３のファクシミリ番号テーブル３３ａに登録する（ステップ１１４）。
また、ＣＰＵ３０は、上記ステップ１０４において、送信元データを登録する状態であると判定した場合は（ステップ１０４：送信元）、送信元データの入力を検出すると（ステップ１０５：Ｙｅｓ）、上記同様に、登録ボタン１７が押されるまでステップ１０２〜ステップ１１０を繰り返し実行する。そして、ＣＰＵ３０は、登録ボタン１７が押されたことを検出すると（ステップ１１２：Ｙｅｓ）、ＲＡＭ３２に一時的に格納されている送信元データをＥＥＰＲＯＭ３３のファクシミリ番号テーブル３３ａに登録する（ステップ１１４）。
【００３２】
次に、ＣＰＵ３０が図５のステップ２００において実行する送信制御処理について、それを示す図７ないし図９のフローチャートを参照して説明する。
図７は、ＣＰＵ３０が実行する上記送信制御処理を示すフローチャートである。図８は、ＣＰＵ３０が図７のステップ２２０において実行するインターネットＦＡＸ送信処理を示すフローチャートであり、図９は、ＣＰＵ３０が図７のステップ２５０において実行する通常ＦＡＸ送信処理を示すフローチャートである。
【００３３】
ＣＰＵ３０は、原稿センサ３９から出力される検出信号によって原稿がセットされていることを検出すると（ステップ２０２：Ｙｅｓ）、通信切替ボタン１６によって通信経路が選択されたか否かを判定する（ステップ２０４）。
つまり、インターネットＦＡＸ送信および通常ＦＡＸ送信のいずれかが選択されたか否かを判定する（ステップ２０４）。
なお、このとき、送信者が、インターネットＦＡＸ送信を選択している場合は、短縮ダイヤルボタン１５を押すと、ファクシミリ番号テーブル３３ａの中から送信先名および送信先のメールアドレスを読出す状態になり、また、通常ＦＡＸを選択している場合は、送信先名および送信先のファクシミリ番号を読出す状態になる。
【００３４】
続いて、ＣＰＵ３０は、通信経路が選択されたと判定すると（ステップ２０４：Ｙｅｓ）、送信先が指定されたか否かを検出する（ステップ２０６）。続いて、ＣＰＵ３０は、送信先が指定されたことを検出すると（ステップ２０６：Ｙｅｓ）、その指定された送信先を示す送信先データをＥＥＰＲＯＭ３３に格納されているファクシミリ番号テーブル３３ａの中から読出してＲＡＭ３２に一時的に格納する（ステップ２０８）。
たとえば、送信者が、ステップ２０４において、インターネットＦＡＸ送信を選択し、短縮ダイヤルボタン１５によって登録Ｎｏ．２の送信先を指定すると、ファクシミリ番号テーブル３３ａの中から登録Ｎｏ．２に対応付けられている送信先名「□□□殿」およびメールアドレス「１２３．＠ｇｈｉ．ｏｒ．ｊｐ」が読出され、ＲＡＭ３２に一時的に格納される（ステップ２０８）。
【００３５】
また、送信者が、ステップ２０４において、通常ＦＡＸ送信を選択し、短縮ダイヤルボタン１５によって登録Ｎｏ．２の送信先を指定すると、ファクシミリ番号テーブル３３ａの中から登録Ｎｏ．２に対応付けられている送信先名「□□□殿」およびファクシミリ番号「０５２−９８７−６５４３」が読出され、ＲＡＭ３２に一時的に格納される（ステップ２０８）。
そして、ＣＰＵ３０は、上記ＲＡＭ３２に一時的に格納した送信先データを液晶表示部１８に表示する（ステップ２１０）。送信者は、その表示を見て指定した送信先が正しいか否かを確認できる。
【００３６】
そして、ＣＰＵ３０は、上記ステップ２０４において選択された通信経路の種類を判定し（ステップ２１８）、インターネットを経由する通信経路であると判定した場合は（ステップ２１８：インターネット）、インターネットＦＡＸ送信処理を実行し（ステップ２２０）、インターネットを経由しない公衆交換通信網であると判定した場合は（ステップ２２０：公衆交換通信網）、通常ＦＡＸ送信処理を実行する（ステップ２５０）。
【００３７】
次に、ＣＰＵ３０が実行するインターネットＦＡＸ送信処理について図８を参照して説明する。
ＣＰＵ３０は、スタートボタン１４が押されたことを検出すると（ステップ２２２：Ｙｅｓ）、イメージスキャナ３８に原稿の読取を開始させ（ステップ２２４）、読取の終了を検出すると（ステップ２２６：Ｙｅｓ）、画像データをファイル化する（ステップ２２８）。続いて、ＣＰＵ３０は、送信制御プログラム３１ｃに含まれている電子メール送信プログラムを立上げ（ステップ２３０）、ファクシミリ番号テーブル３３ａから送信元のメールアドレスを読出すとともに、その読出した送信元のメールアドレスを電子メールのカバーページ７０の送信元識別データ登録エリア７３（図４（Ｃ））に登録する（ステップ２３２）。
たとえば、図４（Ｃ）に示すように、カバーページ７０の送信元識別データ登録エリア７３には、送信元のメールアドレス７３ｂとして、「ｂｒｔ．＠ｓｔｕ．ｏｒ．ｊｐ」が登録される。これによってインターネットＦＡＸ用のカバーページが作成される。
また、この時にステップ２０８でＲＡＭ３２に格納した送信先名を送信先名登録エリア７１に、送信元名を送信元名登録エリア７２にそれぞれ格納する。送信元名については、予め固定的に登録しておいてもよい。さらに、先の処理で予めコメントなどが入力されていれば、その内容をコメント登録エリア７４に登録する。この時、送信先に応じて固定のコメントを用意しておき、ファクシミリ番号テーブル３３ａに対応付けて格納しておけば、それを読出してコメント登録エリア７４に登録するように構成することも可能である。
【００３８】
そして、ＣＰＵ３０は、ＳＭＴＰサーバ４に対してダイヤリングを行い（ステップ２３４）、ＳＭＴＰサーバ４との接続を検出すると（ステップ２３６：Ｙｅｓ）、電子メールを送信し（ステップ２３８）、その送信の終了を検出すると（ステップ２４０：Ｙｅｓ）、回線を切断する（ステップ２４２）。
なお、ＳＭＴＰサーバ４へ送信された電子メールは、ＳＭＴＰサーバ４からインターネットＡを経由して送信先のＳＭＴＰサーバ５へ送信され、そのＳＭＴＰサーバ５から送信先のＰＯＰＳ６１へ送信される。そして、ファクシミリ装置９からＰＯＰＳ６１へアクセスすることにより、ＰＯＰＳ６１に格納されている電子メールは、送信先であるファクシミリ装置９へ送信される。
【００３９】
次に、ＣＰＵ３０が実行する通常ＦＡＸ送信処理について図９を参照して説明する。
ＣＰＵ３０は、スタートボタン１４が押されたことを検出すると（ステップ２５２：Ｙｅｓ）、送信制御プログラム３１ｃに含まれている通常ＦＡＸ送信プログラムを立上げ（ステップ２５４）、ファクシミリ番号テーブル３３ａから送信元のファクシミリ番号を読出すとともに、その読出した送信元のファクシミリ番号をカバーページ７０の送信元識別データ登録エリア７３（図４（Ｂ））に登録する（ステップ２５６）。
たとえば、図４（Ｂ）に示すように、カバーページ７０の送信元識別データ登録エリア７３には、送信元のファクシミリ番号７３ａとして、「０５２−４５６−７８９０」が登録される。これによって通常ＦＡＸ用のカバーページが作成される。
【００４０】
続いて、ＣＰＵ３０は、送信先のファクシミリ番号にてダイヤリングを行い（ステップ２５８）、送信先のファクシミリ装置９との接続を検出すると（ステップ２６０：Ｙｅｓ）、イメージスキャナ３８に原稿の読取を開始させ（ステップ２６２）、その読取った画像データを送信先であるファクシミリ装置９へ送信する（ステップ２６４）。
そして、ＣＰＵ３０は、画像データがＲＡＭ３２に残っていないことを検出すると（ステップ２６６：Ｎｏ）、回線を切断する（ステップ２６８）。
【００４１】
以上のように、本実施形態のファクシミリ装置１０を用いれば、画像データを送信する通信経路としてインターネットＡを経由する通信経路を選択した場合は、送信元識別データ登録エリア７３に送信元のメールアドレス７３ｂを登録したカバーページ７０を送信することができ、かつ、インターネットＡを経由しない公衆交換通信網Ｂを選択した場合は、送信元のファクシミリ番号７３ａを登録したカバーページ７０を送信することができる。
つまり、本実施形態のファクシミリ装置１０を用いれば、インターネットＦＡＸ送信か通常ＦＡＸ送信かによって、送信元識別データを手入力によってカバーページ７０に登録する手間を省くことができる。
【００４２】
次に、本発明第２実施形態のファクシミリ装置について図１０を参照して説明する。
図１０は、本第２実施形態のファクシミリ装置に備えられたＣＰＵが実行する送信制御処理を示すフローチャートである。
本第２実施形態のファクシミリ装置は、指定した送信先のデータの種類に基づいて通信経路を決定できることを特徴とする。
なお、本第２実施形態のファクシミリ装置の機械的構成は、前述の第１実施形態のファクシミリ装置と同じであるため、その説明を省略する。また、ＣＰＵが実行するインターネットＦＡＸ処理および通常ＦＡＸ処理は、前述の第１実施形態と同じであるため、その説明を省略する。
【００４３】
ＣＰＵ３０は、原稿のセットされていることを検出し（ステップ２０２：Ｙｅｓ）、送信先の指定されたことを検出すると（ステップ２０６：Ｙｅｓ）、その指定された送信先を示す送信先データをファクシミリ番号テーブル３３ａから読出すとともに、ＲＡＭ３２に一時的に格納し（ステップ２０８）、その送信先データを液晶表示部１８に表示する（ステップ２１０）。続いて、ＣＰＵ３０は、ＲＡＭ３２に一時的に格納された送信先データの種類が、メールアドレスかＦＡＸ番号かを判定する（ステップ２１６）。
そして、ＣＰＵ３０は、送信先データの種類が、メールアドレスであると判定した場合は（ステップ２１６：メールアドレス）、送信元のメールアドレス７３ｂを登録したカバーページ７０を付した画像データを送信するインターネットＦＡＸ送信処理を実行し（ステップ２２０）、ファクシミリ番号であると判定した場合は（ステップ２１６：ＦＡＸ番号）、送信元のファクシミリ番号７３ａを登録したカバーページ７０を付した画像データを送信する通常ＦＡＸ送信処理を実行する（ステップ２５０）。
【００４４】
たとえば、送信先データが、ファクシミリ番号テーブル３３ａに格納されているメールアドレス「１２３．＠ｇｈｉ．ｏｒ．ｊｐ」である場合は（ステップ２１６：メールアドレス）、図４（Ｃ）に示すカバーページ７０を付した画像データを送信するインターネットＦＡＸ送信処理を実行し（ステップ２２０）、「０５２−９８７−６５４３」である場合は（ステップ２１６：ＦＡＸ番号）、図４（Ｂ）に示すカバーページ７０を付した画像データを送信する通常ＦＡＸ送信処理を実行する（ステップ２５０）。
【００４５】
以上のように、本第２実施形態のファクシミリ装置１０を用いれば、指定した送信先を示すデータが、メールアドレスである場合は、送信元識別データ登録エリア７３に送信元のメールアドレス７３ｂを登録したカバーページ７０を送信することができ、かつ、通常ＦＡＸ送信する場合は、ＦＡＸ番号である場合は、送信元のファクシミリ番号７３ａを登録したカバーページ７０を送信することができる。
つまり、本第２実施形態のファクシミリ装置１０を用いれば、インターネットＦＡＸ送信か通常ＦＡＸ送信かによって、送信元識別データを手入力によってカバーページ７０に登録する手間を省くことができる。
【００４６】
次に、本発明第３実施形態のファクシミリ装置について図１１を参照して説明する。
図１１は、本第３実施形態のファクシミリ装置に備えられたＣＰＵが実行する送信制御処理を示すフローチャートである。
本第３実施形態のファクシミリ装置は、指定した送信元のデータの種類に基づいて通信経路を決定できることを特徴とする。
なお、本第３実施形態のファクシミリ装置の機械的構成は、前述の第１実施形態のファクシミリ装置と同じであるため、その説明を省略する。また、ＣＰＵが実行するインターネットＦＡＸ処理および通常ＦＡＸ処理は、前述の第１実施形態と同じであるため、その説明を省略する。
【００４７】
ＣＰＵ３０は、原稿の検出および送信先の指定を検出すると（ステップ２０２：Ｙｅｓ、ステップ２０６：Ｙｅｓ）、その指定された送信先を示す送信先データをファクシミリ番号テーブル３３ａから読出すとともに、ＲＡＭ３２に一時的に格納し（ステップ２０８）、その送信先データを液晶表示部１８に表示する（ステップ２１０）。続いて、ＣＰＵ３０は、送信元データとしてＦＡＸ番号およびメールアドレスのどちらが選択されたかを判定し（ステップ２１２）、その選択した送信元データを表示する（ステップ２１４）。
そして、ＣＰＵ３０は、送信元データの種類が、メールアドレスであると判定した場合は（ステップ２１６：メールアドレス）、送信元のメールアドレス７３ｂを登録したカバーページ７０を付した画像データを送信するインターネットＦＡＸ送信処理を実行し（ステップ２２０）、ファクシミリ番号であると判定した場合は（ステップ２１６：ＦＡＸ番号）、送信元のファクシミリ番号７３ａを登録したカバーページ７０を付した画像データを送信する通常ＦＡＸ送信処理を実行する（ステップ２５０）。
【００４８】
たとえば、送信元データが、ファクシミリ番号テーブル３３ａに格納されている送信元のメールアドレス「ｂｒｔ．＠ｓｔｕ．ｏｒ．ｊｐ」である場合は（ステップ２１６：メールアドレス）、図４（Ｃ）に示すカバーページ７０を付した画像データを送信するインターネットＦＡＸ送信処理を実行し（ステップ２２０）、「０５２−４５６−７８９０」である場合は（ステップ２１６：ＦＡＸ番号）、図４（Ｂ）に示すカバーページ７０を付した画像データを送信する通常ＦＡＸ送信処理を実行する（ステップ２５０）。
【００４９】
以上のように、本第３実施形態のファクシミリ装置１０を用いれば、選択した送信元を示すデータが、メールアドレスである場合は、送信元識別データ登録エリア７３に送信元のメールアドレス７３ｂを登録したカバーページ７０を送信することができ、かつ、通常ＦＡＸ送信する場合は、ＦＡＸ番号である場合は、送信元のファクシミリ番号７３ａを登録したカバーページ７０を送信することができる。
つまり、本第３実施形態のファクシミリ装置１０を用いれば、インターネットＦＡＸ送信か通常ＦＡＸ送信かによって、送信元識別データを手入力によってカバーページ７０に登録する手間を省くことができる。
【００５０】
ところで、上記各実施形態では、画像データをインターネットＡを経由して送信する場合、およびインターネットＡを経由しないで送信する場合に共通のカバーページ７０を用いたが、インターネットＡを経由して送信する場合のために送信元のメールアドレスを登録したカバーページと、インターネットＡを経由しないで送信する場合のために送信元のファクシミリ番号を登録したカバーページとをＥＥＰＲＯＭ３３に個別に格納しておき、使用する通信経路に対応するカバーページをＥＥＰＲＯＭ３３から個別に読出す構成を採用することもできる。
【００５１】
なお、ＣＰＵ３０により実行される図７のステップ２１８が、本発明の判定手段として機能し、図８のステップ２２２〜ステップ２４２および図９のステップ２５２〜ステップ２６８が、送信手段として機能する。
また、ＣＰＵ３０により実行される図１１のステップ２１２が、請求項２に記載の送信元情報選択手段として機能し、図１０のステップ２０６が、請求項３に記載の送信先情報設定手段として機能する。
【００５２】
さらに、上記各実施形態では、図５ないし図１１に示した処理をファクシミリ装置１０に内蔵されたＣＰＵ３０が実行する場合を説明したが、ファクシミリ装置１０に接続されたＰＣ４８（図３）に内蔵されたＣＰＵに実行させることもできる。この場合、ファクシミリ装置１０およびＰＣ４８が、本発明の通信端末装置として機能する。
また、イメージスキャナとＰＣとを接続し、そのＰＣに内蔵されたＣＰＵが上記処理を実行する構成を採用することもできる。
【００５３】
上記のように、ＰＣに各処理を実行させる場合、その各処理を実行するためのコンピュータプログラムは、ＣＤ−ＲＯＭやＦＤなどの記憶媒体に記憶され、その記憶媒体に記憶されたコンピュータプログラムは、ＰＣに備えられたドライブを用いてインストールされる。
この場合、上記コンピュータプログラムが、図６のステップ１０２〜ステップ１１４を含むものである場合は、そのコンピュータプログラムは、請求項４に記載の記憶プログラムに対応し、上記図７のステップ２１８、図８のステップ２２２〜ステップ２４２および図９のステップ２５２〜ステップ２６８を含むものである場合は、そのコンピュータプログラムは、請求項４に記載の送信制御プログラムに対応する。
【００５４】
【発明の効果】
請求項１ないし請求項４に記載の発明によれば、画像情報をインターネットを経由する第１の通信経路で送信する場合の送信元を特定する第１の送信元情報と、インターネットを経由しない第２の通信経路で送信する場合の送信元を特定する第２の送信元情報とを記憶する送信元情報記憶手段と、第１および第２の通信経路のいずれの通信経路が選択されたかを判定する判定手段と、その判定手段によって第１の通信経路が選択されたと判定された場合は、送信元情報記憶手段から第１の送信元情報を読出すとともに、その読出した第１の送信元情報を含むカバーページを画像情報と共に第１の通信経路を介して送信し、かつ、上記判定手段によって第２の通信経路が選択されたと判定された場合は、送信元情報記憶手段から第２の送信元情報を読出すとともに、その読出した第２の送信元情報を含むカバーページを画像情報と共に第２の通信経路を介して送信する送信手段とを備えるため、画像情報を送信する通信経路によって、送信元情報などのカバーページの記載情報を書換える手間のいらない通信端末装置を実現することができる。
【００５５】
特に、請求項２に記載の発明によれば、送信元情報記憶手段に記憶されている所定の送信元情報を選択する送信元情報選択手段と、その送信元情報選択手段によって選択された送信元情報が、第１の送信元情報である場合は、第１の通信経路が選択されたと判定し、かつ、送信元情報選択手段によって選択された送信元情報が、第２の送信元情報である場合は、第２の通信経路が選択されたと判定する判定手段とを備えるため、送信元情報を選択するだけで、その選択した送信元情報が含まれる適切なカバーページを画像情報と共に送信することができる。
したがって、従来のように、通信経路によってカバーページの送信元情報などの記載情報を書換える手間を省くことができる。
【００５６】
また、請求項３に記載の発明によれば、画像情報の送信先を特定する送信先情報を設定する送信先情報設定手段と、その送信先情報設定手段によって設定された送信先情報が、第１の通信経路のための情報か、第２の通信経路のための情報かを識別することにより選択された通信経路を判定する判定手段とを備えるため、送信先情報を設定するだけで、その設定した送信先情報に対応する通信経路が判定され、その判定された通信経路に対応する送信元情報が含まれる適切なカバーページを画像情報と共に送信することができる。
したがって、従来のように、通信経路によってカバーページの送信元情報などの記載情報を書換える手間を省くことができる。
【００５７】
また、請求項４に記載の発明によれば、上記第１の送信元情報と、第２の送信元情報とを送信元情報記憶手段に記憶する記憶プログラムと、第１および第２の通信経路のいずれの通信経路が選択されたかを判定するとともに、その判定結果が、第１の通信経路が選択されたという判定結果である場合は、送信元情報記憶手段から第１の送信元情報を読出すとともに、その読出した第１の送信元情報を含むカバーページを画像情報と共に第１の通信経路を介して送信し、かつ、判定結果が、第２の通信経路が選択されたという判定結果である場合は、送信元情報記憶手段から第２の送信元情報を読出すとともに、その読出した第２の送信元情報を含むカバーページを画像情報と共に第２の通信経路を介して送信する送信制御プログラムと、を含むコンピュータプログラムが格納されている記憶媒体であるため、その記憶媒体に格納されているコンピュータプログラムをファクシミリ装置に備えられたＣＰＵ、あるいは、ファクシミリ装置に接続されたコンピュータに実行させることにより、請求項１に記載の効果を奏するファクシミリ装置を実現できる。
【図面の簡単な説明】
【図１】本発明実施形態のファクシミリ装置が接続されているネットワークをブロックで示す説明図である。
【図２】本発明実施形態のファクシミリ装置の外観を示す説明図である。
【図３】図２に示すファクシミリ装置の電気的構成をブロックで示す説明図である。
【図４】図４（Ａ）は、ファクシミリ番号テーブルの構成を示す説明図であり、図４（Ｂ）は、画像データを通常ＦＡＸ送信する場合のカバーページの登録内容を示す説明図であり、図４（Ｃ）は、画像データをインターネットＦＡＸ送信する場合のカバーページの登録内容を示す説明図である。
【図５】ＣＰＵ３０が実行する主な処理内容を示すフローチャートである。
【図６】ＣＰＵ３０が図５のステップ１００において実行する送信元・送信先データ登録処理を示すフローチャートである。
【図７】本発明第１実施形態のＣＰＵ３０が図５のステップ２００において実行する送信制御処理を省略して示すフローチャートである。
【図８】本発明第１実施形態のＣＰＵ３０が図７のステップ２２０において実行するインターネットＦＡＸ送信処理を示すフローチャートである。
【図９】本発明第１実施形態のＣＰＵ３０が図７のステップ２５０において実行する通常ＦＡＸ送信処理を示すフローチャートである。
【図１０】本発明第２実施形態のＣＰＵ３０が図５のステップ２００において実行する送信制御処理を省略して示すフローチャートである。
【図１１】本発明第３実施形態のＣＰＵ３０が図５のステップ２００において実行する送信制御処理を省略して示すフローチャートである。
【符号の説明】
１０    ファクシミリ装置
３０    ＣＰＵ
３３    ＥＥＰＲＯＭ
３３ａ  ファクシミリ番号テーブル
７０    カバーページ
７３    送信元識別データ登録エリア
７３ａ  送信元のファクシミリ番号（第２の送信元情報）
７３ｂ  送信元のメールアドレス（第１の送信元情報）
Ａ    インターネット（第１の通信経路）
Ｂ    公衆交換通信網（第２の通信経路）
【図１】
0003890580.tif 000002
【図２】
0003890580.tif 000003
【図３】
0003890580.tif 000004
【図４】
0003890580.tif 000005
【図５】
0003890580.tif 000006
【図６】
0003890580.tif 000007
【図７】
0003890580.tif 000008
【図８】
0003890580.tif 000009
【図９】
0003890580.tif 000010
【図１０】
0003890580.tif 000011
【図１１】
0003890580.tif 000012